(57)【要約】【課題】本発明は基板６０間の低背化も可能で、かつ、狭ピッチ化も可能で、複数回接続をしても安定した接続を得ることができるコネクタ１０を提供する。【解決手段】本目的は２つの接触部１６と接触部１６間を連設導通する導体１８とを有する接触導体部２０を複数設けるとともに接触導体部２０を接続対象物の接点と前記接触部１６とが接続できるように配置し、接触導体部２０以外の所定の位置に接続対象物への装着手段若しくは押圧手段を設けたＦＰＣ１２を、所定の位置で折り返すことにより接触部１６を表裏に配置し、ＦＰＣ１２の表裏接触部１６間に弾性部材１４を配置ことにより達成できる。より達成できる。【選択図】  図１
2008004368.tif 000002
【特許請求の範囲】
【請求項１】
２つの接触部と該接触部間を連設導通する導体とを有する接触導体部を複数設けるとともに前記接触導体部を接続対象物の接点と前記接触部とが接続できるように配置し、前記接触導体部以外の所定の位置に接続対象物への装着手段若しくは押圧手段を設けたフレキシブルプリント基板を、所定の位置で折り返すことにより前記接触部を表裏に配置し、前記フレキシブルプリント基板の表裏接触部間に弾性部材を配置することを特徴とするコネクタ。
【請求項２】
前記接触導体部の接触部の周囲には略Ｕ字形状をしたＵスリットを設けることを特徴とする請求項１記載のコネクタ。
【請求項３】
前記接触導体部を並行に複数配置した前記フレキシブルプリント基板を、幅方向の略中央部で折り返すとともに前記接触部を表裏同一箇所に配置することを特徴とする請求項１または２記載のコネクタ。
【請求項４】
前記接触導体部の接触部を長手ピッチ方向で交互に千鳥に配置し、全ての前記接触導体部の２つの接触部間を同一長さにすることを特徴とする請求項３記載のコネクタ。
【請求項５】
前記接触導体部の接触部を長手ピッチ方向で交互に千鳥に配置し、表裏に配置された前記接触導体部の接触部が表裏同一箇所に配置することを特徴とする請求項３記載のコネクタ。
【請求項６】
２つの前記接触導体部の接触部を幅方向同一直線に配置するとともに表裏毎の前記接触部を格子状に配置し、表裏に配置された前記接触導体部の接触部を表裏同一箇所に配置することを特徴とする請求項３記載のコネクタ。
【請求項７】
３つの前記接触導体部の接触部を幅方向同一直線に配置するとともに表裏毎の前記接触部を格子状に配置し、表裏に配置された前記接触導体部の接触部が表裏同一箇所に配置することを特徴とする請求項３記載のコネクタ。
【請求項８】
４つ以上の前記接触導体部の接触部を幅方向同一直線に配置するとともに表裏毎の前記接触部を格子状に配置し、表裏に配置された前記接触導体部の接触部が表裏同一箇所に配置することを特徴とする請求項３記載のコネクタ。
【請求項９】
前記フレキシブルプリント基板の一部若しくは複数部分を所定の位置で折り返すことを特徴とする請求項３〜８項のうちいずれか１項記載のコネクタ。
【発明の詳細な説明】
【技術分野】
【０００１】
この発明は、電子・電気機器に使用され、基板と基板との間や基板とフレキシブルプリント基板（以下「ＦＰＣ」という）との間を接続するコネクタに関するもので、狭ピッチ化及び高密度実装を高める構造に関するものである。
【背景技術】
【０００２】
電気・電子機器等に使用される基板と基板との間や基板とＦＰＣとの間を接続するには、互いに各々の基板に装着した２つのコネクタ（所謂、基板間接続コネクタ）を嵌合することで基板間を接続している。
しかし、近年、基板間の低背化の要求が強くなってきている。
【０００３】
基板と基板との間や基板とＦＰＣとの間を接続するためには、コネクタを用いることが多い。
特許文献１としては、基板間を２つのコネクタを用いて接続し、かつ、ＦＰＣをコンタクトとして使用した、本出願人が提案した特開平１０−３２０６２号を挙げる。
特許文献２〜４としては、相手物と接触する部分を渦巻き状（スパイラル）にした、特開２００２−１７５６５９（特許文献２）と特開２００４−２４１３０４（特許文献３）と特開２００５−３０２７０５（特許文献４）とを挙げる。
【特許文献１】特開平１０−３２０６２号の要約によると、基板相互間に生じた位置ずれ（０．５ｍｍ程度）に関係なく、各基板に設置されたコネクタが嵌合できる構造の電気コネクタ１０を提供することを目的とし、絶縁体１２にコンタクト１４を保持・固定する手段を設け、前記コンタクト１４が可撓性を有しているコネクタ構造と、該コネクタに使用するコンタクト１４は絶縁層Ａ１８と絶縁層Ｂ２０との間に導体１９を挟み込んだコンタクト部材１６を２枚張り合わせた構造のものが開示されている。
【特許文献２】特開２００２−１７５８５９の要約によると、小型の半導体デバイスからパッケージ、超小型のベアチップ、さらにウエーハ状のものにも対応可能で、軟質材の球状接続端子に変形やキズを与えることなく通電回路を形成し、球状接続端子の高密度化に対応可能で、かつ廉価で高信頼性検査を実現できるスパイラルコンタクタと半導体検査装置（テストソケット、テストボード、プローブカード）及び電子部品（実装用ソケット、実装用コネクタ）を提供することを目的とし、球状接続端子を有する半導体デバイス又は電子部品との電気的接続を行うコンタクタであって、前記コンタクタは、前記球状接続端子と接触する平面視してスパイラル形状を有するスパイラル状接触子２を、絶縁基板上に前記球状接続端子との接触の際に、当該球状接続端子の形状に対応して変形可能に備え、前記半導体デバイス又は電子部品との電気的接続を行う構成としたことを特徴とするスパイラルコンタクタ１の構造が開示されている。
【特許文献３】特開２００４−２４１３０４の要約によると、グランド系の端子の総数を減らして小型化が可能であるとともに、高周波帯域まで良好な伝送特性を有する電子コネクタを提供することを目的とし、中心側に信号系の端子としてスパイラル接触子７を設け、その周囲にグランド系の端子８を設け、１つの信号系の端子を１つのグランド系の端子８で電磁シールドすることができるため、高周波帯域まで伝送特性に優れた電子コネクタを提供できると同時に、従来に比較してグランド系の端子数を減らすことができるため、コネクタを小型化することが可能となる構造のコネクタが開示されている。
【特許文献４】特開２００５−３０２７０５の要約によると、コネクタの実装面積を小さくして小型化が可能であり、さらに高周波特性が良好なコネクタを提供することを目的とし、基板３には、第１の面である上面３ａに複数のスパイラル接触子２０と、第２の面である下面３ｂに複数の接続用端子４０とが形成されており、前記スパイラル接触子２０と前記接続用端子４０とが電気的に接続され、前記スパイラル接触子２０は前記第１の面である上面３ａに平面マトリックス状に複数配列されているため、本発明の基板には前記スパイラル接触子２０を多数設けることが可能となり、実質的にコネクタ１の小型化を図ることが可能となり、またスパイラル接触子２０により高周波特性の向上を図れる構造のコネクタが開示されている。
【発明の開示】
【発明が解決しようとする課題】
【０００４】
近年、要求が強くなってきている基板間の低背化については、上記に挙げた特許文献２〜４でも対応することは可能である。
しかしながら、特許文献２〜４のような構造では、相手物との接触部分を渦巻き状（スパイラル状）にしているため、接触部分の大きさが大きくなってしまうので、狭ピッチ化することができない。
また、接触部分が渦巻き状（スパイラル状）のため、接触圧が弱く、安定した接続を得ることができなく、かつ、複数回の接続には不向きであった。
【０００５】
本発明は、このような従来の問題点に鑑みてなされたもので、基板間の低背化も可能で、かつ、狭ピッチ化も可能で、複数回接続をしても安定した接続を得ることができるコネクタを提供せんとするものである。
【課題を解決するための手段】
【０００６】
本目的は、２つの接触部１６と該接触部１６間を連設導通する導体１８とを有する接触導体部２０を複数設けるとともに前記接触導体部２０を接続対象物の接点と前記接触部１６とが接続できるように配置し、前記接触導体部２０以外の所定の位置に接続対象物への装着手段若しくは押圧手段を設けたＦＰＣ１２を、所定の位置で折り返すことにより前記接触部１６を表裏に配置し、前記ＦＰＣ１２の表裏接触部１６間に弾性部材１４を配置ことにより達成できる。
上記で言う「接続対象物の接点と前記接触部１６とが接続できるように」とは、前記接続対象物に設けられている接点の位置に対応する位置に前記接触部１６を設けるということである。また、所定の位置とは、前記接触導体部２０の２つの接触部１６間の任意の位置で、かつ、前記接続対象物の接点と接続できる箇所という意味である。
【０００７】
請求項２記載のコネクタ１０は、前記接触導体部２０の接触部１６の周囲には略Ｕ字形状をしたＵスリット２２を設けることを特徴とする請求項１記載のコネクタである。
また、請求項３記載のコネクタ１０は、前記接触導体部２０を並行に複数配置した前記ＦＰＣ１２を、幅方向の略中央部で折り返すとともに前記接触部１６を表裏同一箇所に配置することを特徴とする請求項１または２記載のコネクタ１０である。
【０００８】
請求項４記載のコネクタ１０は、前記接触導体部２０の接触部１６を長手ピッチ方向で交互に千鳥に配置し、全ての前記接触導体部２０の２つの接触部１６間を同一長さにすることを特徴とする請求項３記載のコネクタ１０である。
また、請求項５記載のコネクタ１０は、前記接触導体部２０の接触部１６を長手ピッチ方向で交互に千鳥に配置し、表裏に配置された前記接触導体部２０の接触部１６が表裏同一箇所に配置することを特徴とする請求項３記載のコネクタ１０である。
さらに、請求項６記載のコネクタ１０は、２つの前記接触導体部２０の接触部１６を幅方向同一直線に配置するとともに表裏毎の前記接触部１６を格子状に配置し、表裏に配置された前記接触導体部２０の接触部１６を表裏同一箇所に配置することを特徴とする請求項３記載のコネクタ１０である。
【０００９】
請求項７記載のコネクタ１０は、３つの前記接触導体部２０の接触部１６を幅方向同一直線に配置するとともに表裏毎の前記接触部１６を格子状に配置し、表裏に配置された前記接触導体部２０の接触部１６が表裏同一箇所に配置することを特徴とする請求項３記載のコネクタ１０である。
また、請求項８記載のコネクタ１０は、４つ以上の前記接触導体部２０の接触部１６を幅方向同一直線に配置するとともに表裏毎の前記接触部１６を格子状に配置し、表裏に配置された前記接触導体部２０の接触部１６が表裏同一箇所に配置することを特徴とする請求項３記載のコネクタ１０である。
さらに、請求項９記載のコネクタ１０は、前記ＦＰＣ１２の一部若しくは複数部分を所定の位置で折り返すことを特徴とする請求項３〜８項のうちいずれか１項記載のコネクタ１０である。
ここでいう一部若しくは複数部分とは、１枚の前記ＦＰＣ１２上で、一部部分だけ折り返す場合や、２箇所以上で折り返す場合もあり、前記接続対象物の接点の位置によって、折り返す部分を任意に適宜設計するという意味である。
【発明の効果】
【００１０】
以上の説明から明らかなように、本発明のコネクタ１０によると、次のような優れた顕著な効果が得られる。
（１）２つの接触部１６と該接触部１６間を連設導通する導体１８とを有する接触導体部２０を複数設けるとともに前記接触導体部２０を接続対象物の接点と前記接触部１６とが接続できるように配置し、前記接触導体部２０以外の所定の位置に接続対象物への装着手段若しくは押圧手段を設けたＦＰＣ１２を、所定の位置で折り返すことにより前記接触部１６を表裏に配置し、前記ＦＰＣ１２の表裏接触部１６間に弾性部材１４を配置しているので、接続する基板６０間の低背化が可能で、かつ、狭ピッチ化も可能で、繰り返り接続をしても安定した接続を得ることができる。
（２）請求項２記載のコネクタ１０は、前記接触導体部２０の接触部１６の周囲には略Ｕ字形状をしたＵスリット２２を設けているので、接触部１６の高さにバラつきがあっても安定して接続を得ることができる。
（３）請求項３記載のコネクタ１０は、前記接触導体部２０を並行に複数配置した前記ＦＰＣ１２を、幅方向の略中央部で折り返すとともに前記接触部１６を表裏同一箇所に配置しているので、接続する基板６０間の低背化が可能で、かつ、狭ピッチ化も可能で、繰り返り接続をしても安定した接続を得ることができる。
（４）請求項４記載のコネクタ１０は、前記接触導体部２０の接触部１６を長手ピッチ方向で交互に千鳥に配置し、全ての前記接触導体部２０の２つの接触部１６間を同一長さにしているので、請求項３より更に狭ピッチ化が可能で、かつ、高密度化もでき、接触部間が同一長さのため抵抗値が同じとなり、スキュー（複数信号の経路到達時間差）を同じにすることができ、安定した接続を得ることができる。
（５）請求項５記載のコネクタ１０は、前記接触導体部２０の接触部１６を長手ピッチ方向で交互に千鳥に配置し、表裏に配置された前記接触導体部２０の接触部１６が表裏同一箇所に配置しているので、請求項３より更に狭ピッチ化が可能で、かつ、高密度化もでき、安定した接続を得ることもできる。
（６）請求項６記載のコネクタ１０は、２つの前記接触導体部２０の接触部１６を幅方向同一直線に配置するとともに表裏毎の前記接触部１６を格子状に配置し、表裏に配置された前記接触導体部２０の接触部１６を表裏同一箇所に配置しているので、請求項３より更に狭ピッチ化が可能で、かつ、高密度化もでき、安定した接続を得ることもできる。
（７）請求項７記載のコネクタ１０は、３つの前記接触導体部２０の接触部１６を幅方向同一直線に配置するとともに表裏毎の前記接触部１６を格子状に配置し、表裏に配置された前記接触導体部２０の接触部１６が表裏同一箇所に配置しているので、請求項６より更に狭ピッチ化が可能で、かつ、高密度化もでき、安定した接続を得ることもできる。
（８）請求項８記載のコネクタ１０は、４つ以上の前記接触導体部２０の接触部１６を幅方向同一直線に配置するとともに表裏毎の前記接触部１６を格子状に配置し、表裏に配置された前記接触導体部２０の接触部１６が表裏同一箇所に配置しているので、請求項７より更に狭ピッチ化が可能で、かつ、高密度化もでき、安定した接続を得ることもできる。
（９）請求項９記載のコネクタ１０は、前記ＦＰＣ１２の一部若しくは複数部分を所定の位置で折り返しているので、特定の部分で前記接続対象物との安定した接続を得ることができる。
【発明を実施するための最良の形態】
【００１１】
図１から図８に基づいて、本発明のコネクタの一実施例について説明する。図１（Ａ）は表面方向で折り返えされた方向からみた状態のコネクタの斜視図であり、（Ｂ）は裏面方向で折り返えされた逆側からみた状態のコネクタの斜視図である。図２（Ａ）は接触部の部分拡大図であり、（Ｂ）は接触部中央で断面した断面図である。図３（Ａ）は接触導体部が１列に配置された状態の接触部方向からみたＦＰＣの平面図であり、図４（Ａ）は接触導体部の接触部が千鳥で、かつ、接触導体部の長さが同一長さで２列に配置された状態の接触部方向からみたＦＰＣの平面図である。図５（Ａ）は接触導体部の接触部を長手ピッチ方向で交互に千鳥に配置し、かつ、表裏に配置された接触導体部の接触部が表裏同一箇所に配置している状態のＦＰＣの平面図であり、図６（Ａ）は２つの接触導体部の接触部を幅方向同一直線に配置するとともに表裏毎の接触部を格子状に配置し、表裏に配置された接触導体部の接触部を表裏同一箇所に配置している状態のＦＰＣの平面図である。図７（Ａ）は３つの接触導体部の接触部を幅方向同一直線に配置するとともに表裏毎の接触部を格子状に配置し、表裏に配置された接触導体部の接触部が表裏同一箇所に配置している状態のＦＰＣの平面図である。図８は本発明のコネクタが基板間に接続された状態の断面図である。図９に別の実施例として、略十字形状をした１枚のＦＰＣの４辺を折り返した表面方向からみたコネクタの斜視図である。図３から図７の（Ｂ）は、中央部分で折り返した場合の側面図である。
本発明のコネクタ１０は、主にＦＰＣ１２と弾性体１４とを備えている。
【００１２】
まず、前記ＦＰＣ１２について説明する。前記ＦＰＣ１２には、少なくとも接続対象物に接触する複数の接触部１６と接続対象物に装着するための保持手段若しくは押圧手段とを有している。前記接触部１６の形状としては、接続対象物の形状によって最適化を図って、適宜設計されている。ここでいう最適化とは、相手形状が平坦であれば本実施例のように半球状の凸形状にするとか、相手形状が半球状の凸形状であれば接触部１６の形状を平坦や山並み状の凸形状にするということである。また、前記接触部１６の周囲には、図２のようにＵ字状のＵスリット２２が設けられている。Ｕスリット２２を設けることで、前記接触部１６が接続対象物と接触した際に前記接触部１６が弾性変位し、前記接触部１６の高さのバラツキを吸収できる。このように吸収するために、折り返された前記ＦＰＣ１２の表裏の前記接触部１６間には、弾性部材１４が挟持されている。前記弾性部材１４の大きさは折り返された前記ＦＰＣ１２部分のほぼ１／２倍であり、厚さは前記接触部１６が変位することやコネクタ１０の低背等を考慮して適宜設計する。
【００１３】
本発明のコネクタ１０は、２つの接続対象物間（例えば、２つの基板６０間、基板６０とＦＰＣとの間、基板６０とＦＰＣケーブルとの間、電子機器と基板６０との間等）を接続するためのものであるため、前記ＦＰＣ１２上に設けられた２つの前記接触部１６は導体１８により連設導通され、１つの接触導体部（２つの接触部１６と該接触部１６を連設導通する導体１８とを有する）が形成され、前記接触導体部２０は複数配置され、前記接触導体部２０は前記接続対象物の接点と前記接触部１６とが接続できるように配置されている。前記ＦＰＣ１２は所定の位置で折り返され、前記接触部２２は表裏に配置される構造になっている。
上記ここで言う「接続対象物の接点と前記接触部１６とが接続できるように」とは、前記接続対象物に設けられている接点の位置に対応する位置に前記接触部１６を設けるということである。また、所定の位置とは、前記接触導体部２０の２つの接触部１６間の任意の位置で、かつ、前記接続対象物の接点と接続できる箇所という意味である。
【００１４】
コネクタの１つの実施例としては、図１のようなものがある。即ち、前記接触導体部２０を並行に複数配置した前記ＦＰＣ１２を、幅方向の略中央部で折り返すことにより前記接触部１６を表裏同一箇所に配置したものである。表裏に配置された前記接触部１６が前記接続対象物の接点と接続することになる。
以下で、図に基づいて、接触導体部２０の配列について説明する。
【００１５】
図３（Ａ）は前記接触導体部２０が複数列、ピッチ方向に配置された状態である。即ち、２つの前記接触部１６と該接触部１６とを連設導通する導体１８とを有する前記接触導体部２０がピッチ方向に、一定のピッチで複数列配置されたものである。隣接する前記接触導体２０の間隔は、Ｕスリット２２の加工技術や前記接触部１６の大きさ（高さ）によって決まるが、最小で３０μｍ程度にすることができる。前記ＦＰＣ１２をほぼ中央部で折り返した場合には、表裏の接触部１６は図３（Ｂ）のように表裏で同一位置になる。
【００１６】
図４（Ａ）は前記接触導体部２０の接触部１６が千鳥で、かつ、前記接触導体部２０の長さが同一長さ（つまり、図４のように接触部１６のＡとＡの間と接触部１６のＢとＢの間が同じということである）で２列に配置された状態である。２列の前記接触導体部２０を１対とし、１対の前記接触導体部２０がピッチ方向に、一定のピッチで複数列配置されたものである。隣接する１対の前記接触導体２０の間隔は、Ｕスリット２２の加工技術や前記接触部１６の大きさ（高さ）によって決まるが、最小で３０μｍ程度にすることができる。前記接触導体部２０の接触部１６間を同一長さにすることで、抵抗値が同じとなり、スキュー（複数信号の経路到達時間差）が同じになる。つまり、前記ＦＰＣ１２をほぼ中央部で折り返した場合には、折り返された表裏の前記接触部１６の位置は、図４（Ｂ）のように表裏でも千鳥の配列になる。
【００１７】
図５（Ａ）は前記接触導体部２０の接触部１６を長手ピッチ方向で交互に千鳥に配置し、かつ、表裏に配置された前記接触導体部２０の接触部１６が表裏同一箇所に配置している状態である。２列の前記接触導体部２０を１対とし、１対の前記接触導体部２０がピッチ方向に、一定のピッチで複数列配置されたものである。つまり、前記ＦＰＣ１２をほぼ中央部で折り返した場合には、折り返された表裏の同一の前記接触導体部２０の前記接触部１６の位置は、図５（Ｂ）のように表裏でも同一箇所に配列される。
【００１８】
図６（Ａ）は２つの前記接触導体部２０の接触部１６を幅方向同一直線に配置するとともに表裏毎の前記接触部１６を格子状に配置し、表裏に配置された前記接触導体部２０の接触部１６を表裏同一箇所に配置している状態である。前記接触部１６が幅方向で同一直線上に配置された２つの前記接触導体部２０を１対とし、１対の前記接触導体部２０がピッチ方向に、一定のピッチで複数列配置され、表裏毎の前記接触部１６は格子状に配置されている。また、前記ＦＰＣ１２をほぼ中央部で折り返した場合には、折り返された表裏の同一の前記接触導体部２０の前記接触部１６の位置は、図６（Ｂ）のように表裏でも同一箇所に配列される。
【００１９】
図７（Ａ）は３つの前記接触導体部２０の接触部１６を幅方向同一直線に配置するとともに表裏毎の接触部１６を格子状に配置し、表裏に配置された前記接触導体部２０の接触部１６が表裏同一箇所に配置している状態である。前記接触部１６が幅方向で同一直線上に配置された３つの前記接触導体部２０を１対とし、１対の前記接触導体部２０がピッチ方向に、一定のピッチで複数列配置され、表裏毎の前記接触部１６は格子状に配置されている。また、前記ＦＰＣ１２をほぼ中央部で折り返した場合には、折り返された表裏の同一の前記接触導体部２０の前記接触部１６の位置は、図７（Ｂ）のように表裏でも同一箇所に配列される。図７のように、一番外側の前記接触部１６間を接続する前記導体１８はスルーホールを介して裏側にしている。このようにスルーホールを介すことで、狭ピッチ化を図っている。
【００２０】
図６及び図７では、前記接触導体部２０を２つ及び３つで幅方向同一直線に配置したものについて説明したが、言うまでもなく、４つ以上についても同様のことが可能である。但し、隣接する前記接触導体部２０のピッチは、２つの接触部１６間を連設導通させる導体１８をどのように配置するかで、適宜設計する。
【００２１】
図８は本発明のコネクタ１０が基板間に接続された状態の断面図である。このように、本発明のコネクタ１０は、例えば、２つの基板６０間に、押し付けるだけ、若しくは、半田付けされることにより２つの基板６０間の接続を行っている。
【００２２】
図９に基づいて、別の実施例について説明する。図９は、略十字形状をした１枚のＦＰＣの４辺を折り返した表面方向からみた斜視図である。客先の要求仕様等によって、１枚の前記ＦＰＣ１２の一部若しくは複数部分を所定の位置で折り返すことにより複数種類の２つの接続対象物間を接続することができる。ここでいう一部若しくは複数部分とは、１枚の前記ＦＰＣ１２上で、一部部分だけ折り返す場合や、２箇所以上で折り返す場合もあり、前記接続対象物の接点の位置によって、折り返す部分を任意に適宜設計するという意味である。本実施例では、略十字形状をした１枚のＦＰＣの４辺を折り返し、つまり、４箇所で２つの接続対象物間を接続したものである。
また、場合によっては、所定の位置で折り返した前記ＦＰＣ１２を用いた複数のコネクタ１０を使用することで、複数種類の２つの接続対象物間を接続することもできる
【００２３】
最後に、保持手段若しくは押圧手段について説明する。前記保持手段は、本発明のコネクタ１０を、接続対象物間（例えば、基板６０間）に固定する手段であり、固定できれば如何なる方法でもよく、コネクタ１０の低背や固定の簡便性を考慮して適宜設計している。つまり、前記保持手段とは、２つの接続対象物間に固定することで本発明のコネクタ１０を、２つの接続対象物間に押圧する押圧手段と解すこともできる。前記押圧手段としては、保持することなく、一方若しくは両方の接続対象物をコネクタ１０方向へ押圧するものであってもよい。例えば、コネクタ１０と基板６０の合致する位置に孔を開けておき、ボルトやナットを使用して保持する方法やパッチン止め（一方の孔を開けておき、もう一方のボスを差し込む）等であってもよい。
【産業上の利用可能性】
【００２４】
本発明の活用例としては、各種電子・電気機器に使用され、基板と基板との間や基板とＦＰＣとの間とを接続するコネクタに関するもので、特に、狭ピッチ化及び高密度実装を高める構造に関するものである。
【図面の簡単な説明】
【００２５】
【図１】（Ａ）  表面方向で折り返えされた方向からみた状態のコネクタの斜視図である。（Ｂ）  裏面方向で折り返えされた逆側からみた状態のコネクタの斜視図である。
【図２】（Ａ）  接触部の部分拡大図である。（Ｂ）  接触部中央で断面した断面図である。
【図３】（Ａ）  接触導体部が１列に配置された状態の接触部方向からみたＦＰＣの平面図である。（Ｂ）  中央部分で折り返した場合の側面図である。
【図４】（Ａ）  接触導体部の接触部が千鳥で、かつ、接触導体部の長さが同一長さで２列に配置された状態の接触部方向からみたＦＰＣの平面図である。（Ｂ）  中央部分で折り返した場合の側面図である。
【図５】（Ａ）  接触導体部の接触部を長手ピッチ方向で交互に千鳥に配置し、かつ、表裏に配置された接触導体部の接触部が表裏同一箇所に配置している状態のＦＰＣの平面図である。（Ｂ）  中央部分で折り返した場合の側面図である。
【図６】（Ａ）  ２つの接触導体部の接触部を幅方向同一直線に配置するとともに表裏毎の接触部を格子状に配置し、表裏に配置された接触導体部の接触部を表裏同一箇所に配置している状態のＦＰＣの平面図である。（Ｂ）  中央部分で折り返した場合の側面図である。
【図７】（Ａ）  ３つの接触導体部の接触部を幅方向同一直線に配置するとともに表裏毎の接触部を格子状に配置し、表裏に配置された接触導体部の接触部が表裏同一箇所に配置している状態のＦＰＣの平面図である。（Ｂ）  中央部分で折り返した場合の側面図である。
【図８】本発明のコネクタが基板間に接続された状態の断面図である。
【図９】別の実施例として、略十字形状をした１枚のＦＰＣの４辺を折り返した表面方向からみたコネクタの斜視図である。
【符号の説明】
【００２６】
１０            コネクタ
１２            ＦＰＣ（フレキシブルプリント基板）
１４            弾性部材
１６            接触部
１８            導体
２０            接触導体部
２２            Ｕスリット
２４            孔
２６            折り返し部分
６０            基板
６２            パッド
【図１】
2008004368.tif 000003
【図２】
2008004368.tif 000004
【図３】
2008004368.tif 000005
【図４】
2008004368.tif 000006
【図５】
2008004368.tif 000007
【図６】
2008004368.tif 000008
【図７】
2008004368.tif 000009
【図８】
2008004368.tif 000010
【図９】
2008004368.tif 000011
【手続補正書】
【提出日】平成18年6月27日(2006.6.27)
【手続補正１】
【補正対象書類名】明細書
【補正対象項目名】００１５
【補正方法】変更
【補正の内容】
【００１５】
図３（Ａ）は前記接触導体部２０が複数列、ピッチ方向に配置された状態である。即ち、２つの前記接触部１６と該接触部１６とを連設導通する導体１８とを有する前記接触導体部２０がピッチ方向に、一定のピッチで複数列配置されたものである。隣接する前記接触導体２０の間隔は、Ｕスリット２２の加工技術や前記接触部１６の大きさ（高さ）によって決まるが、最小で３００μｍ程度にすることができる。前記ＦＰＣ１２をほぼ中央部で折り返した場合には、表裏の接触部１６は図３（Ｂ）のように表裏で同一位置になる。
【手続補正２】
【補正対象書類名】明細書
【補正対象項目名】００１６
【補正方法】変更
【補正の内容】
【００１６】
図４（Ａ）は前記接触導体部２０の接触部１６が千鳥で、かつ、前記接触導体部２０の長さが同一長さ（つまり、図４のように接触部１６のＡとＡの間と接触部１６のＢとＢの間が同じということである）で２列に配置された状態である。２列の前記接触導体部２０を１対とし、１対の前記接触導体部２０がピッチ方向に、一定のピッチで複数列配置されたものである。隣接する１対の前記接触導体２０の間隔は、Ｕスリット２２の加工技術や前記接触部１６の大きさ（高さ）によって決まるが、最小で３００μｍ程度にすることができる。前記接触導体部２０の接触部１６間を同一長さにすることで、抵抗値が同じとなり、スキュー（複数信号の経路到達時間差）が同じになる。つまり、前記ＦＰＣ１２をほぼ中央部で折り返した場合には、折り返された表裏の前記接触部１６の位置は、図４（Ｂ）のように表裏でも千鳥の配列になる。